(57)【要約】【課題】ラッチケースの前板部と前カバーの位置合わせが簡単にでき、ドア本体への取り付けが効率的にできるラッチケースセットおよびそのラッチケースセットを備えたドアを提供する。【解決手段】前カバー２０および前板部１２の一方には嵌合部３１が形成され、他方には嵌合部３１と嵌合する嵌合受部３２が形成されている。【選択図】図１
2020002665.tif 000002
【特許請求の範囲】
【請求項１】
ドア用のラッチ機構を備えたラッチケースと、該ラッチケースの前板部の表面側に重なるように配される略平板形状の前カバーとを備え、該前カバーがドア本体に対し前記前板部を介してビスで固定されるようにされたラッチケースセットにおいて、
前記前カバーおよび前記前板部の一方には嵌合部が形成され、他方には該嵌合部と嵌合する嵌合受部が形成されていることを特徴とするラッチケースセット。
【請求項２】
請求項１において、
前記嵌合部は前記前板部の端縁部とされ、前記嵌合受部は、前記前板部の裏面側に配された、前記端縁部を挟み込む嵌合凹部とされることを特徴とするラッチケースセット。
【請求項３】
請求項１または２において、
前記嵌合受部は、前記前カバーの上下端のいずれか一方側に配され、他方側にビス孔が開設されていることを特徴とするラッチケースセット。
【請求項４】
請求項１〜３のいずれかのラッチケースセットを備えたドア。
【発明の詳細な説明】
【技術分野】
【０００１】
本発明は、ドアに取り付けられるラッチケースセットおよびこれを備えたドアに関する。
【背景技術】
【０００２】
従来、ドアに取り付けるラッチケース、および、その前板部の表面側に取り付ける化粧用の前カバーは、上下の２箇所でドア本体に対し重ねてビス止めされるように構成されている（例えば、特許文献１参照）。
【先行技術文献】
【特許文献】
【０００３】
【特許文献１】特開２０１７−１６０７２３号公報の図４
【発明の概要】
【発明が解決しようとする課題】
【０００４】
しかしながら、ラッチケースの前板部と、前カバーのそれぞれに、２つのビス孔が開設してあるため、重ね合わせたときの孔合わせ、つまり２枚の板材の適正な位置合わせはしにくい。
【０００５】
本発明は、このような事情を考慮して提案されたもので、その目的は、ラッチケースの前板部と前カバーの位置合わせが簡単にでき、ドア本体への取り付けが効率的にできるラッチケースセットおよびそのラッチケースセットを備えたドアを提供することにある。
【課題を解決するための手段】
【０００６】
上記目的を達成するために、本発明のラッチケースセットは、ドア用のラッチ機構を備えたラッチケースと、該ラッチケースの前板部の表面側に重なるように配される略平板形状の前カバーとを備え、該前カバーがドア本体に対し前記前板部を介してビスで固定されるようにされたラッチケースセットにおいて、前記前カバーおよび前記前板部の一方には嵌合部が形成され、他方には嵌合受部が形成されていることを特徴とする。
【０００７】
また、本発明のドアは上記ラッチケースセットを備えたことを特徴とする。
【発明の効果】
【０００８】
本発明のラッチケースセットは上述した構成とされているため、ラッチケースの前板部と前カバーの位置合わせが簡単にでき、ドア本体への取り付けを効率的に行うことができる。
【０００９】
また、本発明のドアは上述した構成とされているため、ラッチケースと前カバーの取り付けを効率的に行うことができる。
【図面の簡単な説明】
【００１０】
【図１】本発明の一実施形態に係るラッチケースセットを構成するラッチケースと前カバーとの合体状態を示す側面図である。
【図２】同ラッチケースセットの分解斜視図である。
【図３】同ラッチケースセットの組立手順の一例を示す側面図である。
【図４】同ラッチケースが組み込まれたドアの一例を示す一部破断概略分解斜視図である。
【発明を実施するための形態】
【００１１】
以下に、本発明の実施の形態について、添付図面を参照しながら説明する。まず、ラッチケースセットＡの概略の基本構成について説明する。
【００１２】
本ラッチケースセットＡは、ドア１用のラッチ機構（不図示）を備えたラッチケース１０と、ラッチケース１０の前板部１２の表面側に重なるように配される略平板形状の前カバー２０とを備えている。この前カバー２０は、ドア本体２に対し前板部１２を介してビス９で固定されるようにされている。前カバー２０および前板部１２の一方には嵌合部３１が形成され、他方には嵌合部３１と嵌合する嵌合受部３２が形成されている。
【００１３】
ついで、図１〜図４にもとづいて、ラッチケース１０、前カバー２０を有してなるラッチケースセットＡおよびラッチケースセットＡを組み付けてなるドア１について詳細に説明する。図１はラッチケースセットＡの分解斜視図である。図２はラッチケースセットＡを構成するラッチケース１０と前カバー２０との合体状態を示す側面図である。図３はラッチケースセットＡの組立手順の一例を示す側面図である。図４はラッチケースセットＡが組み込まれてなるドア１の一例を示す一部破断概略分解斜視図である。
【００１４】
ラッチケースセットＡは、ドア１（図４参照）の戸先側に組み付けられたものである。ラッチケースセットＡは、前板部１２付きのラッチケース１０と、その前板部１２を戸先側より覆い隠し、ドア１の戸先側の側端面に露出するように取り付けられる前カバー２０とを備えている。前板部１２付きのラッチケース１０は、ラッチケース本体１１に前板部１２を固着したものである。なお、ドア１の構成については図４の説明において後述する。
【００１５】
ラッチケース本体１１は、戸厚方向に分割された樹脂製の第１ケース１１ａと第２ケース１１ｂとが組み合わされた構成とされ、その内部には収容空間が形成されている。その収容空間にはラッチ部材１３を含むラッチ機構が収容されている。
【００１６】
ラッチ部材１３は、棒状材とされ、その長手方向を戸幅方向に合わせるようにラッチケース本体１１内に配され、その先端部であるラッチ頭部１３ａが、前板部１２に開設された開口１２ａを通じて出没するようにラッチケース本体１１内に組み付けられている。
【００１７】
ラッチケース本体１１の戸厚方向両側には、ハンドル６（図４参照）の連結軸６ａ（図４参照）を挿通させる軸挿通孔１１ｃや、施開錠部材７（図４参照）を取り付ける施解錠連結部１１ｄなどが形成されている。
【００１８】
前板部１２は、ラッチケース１０の戸先側に固着された略長方形の板状体であり、その長手寸法はラッチケース１０の上下方向寸法よりも長く、ラッチケース１０の全体が戸先側より見て隠れるようにラッチケース本体１１に固着されている。この前板部１２には、ラッチ頭部１３ａ出没用の開口１２ａと、ドア本体２へのビス９固定用のビス孔１２ｂとが形成されている。なお本例では、ビス９止めは前板部１２の開口１２ａよりも上方の１箇所とされる。
【００１９】
前カバー２０のカバー本体２５は、上下に延びる板状体とされ、その長手寸法が前板部１２の長手寸法と略同一とされ、幅寸法も前板部１２の幅寸法と略同一とされる。つまり、前カバー２０のカバー本体２５は、前板部１２と略同一の形状とされ、前板部１２を隠すように重合され、前板部１２の上下左右にはみ出ることなく取り付けられる板材とされる。
【００２０】
このカバー本体２５は、前板部１２に正しくに重ねたときに、前板部１２の開口１２ａより突出したラッチ頭部１３ａが挿通されるラッチ開口２１と、前板部１２のビス孔１２ｂに重なり、ビス頭部が配されるカバー側ビス孔２２とが開設されている。また前カバー２０は、裏面側に、側面視でカバー本体２５の下端よりＬ字状に突出した嵌合片２３を備えている。
【００２１】
この嵌合片２３は、戸幅方向に延びる延出片部２３ａと、上方に突出した突出片部２３ｂとを有してなる。嵌合片２３は、カバー本体２５の下端よりラッチケース本体１１の方向にラッチケース本体１１の下辺と略平行となるように延びてなる。突出片部２３ｂは、延出片部２３ａの前板部１２側の端部より、カバー本体２５を構成する板材に略平行に上方に突出してなる。
【００２２】
嵌合片２３の突出片部２３ｂとカバー本体２５との間には、前板部１２と略同厚の隙間空間が形成されている。この隙間空間が前板部１２の下端の端縁部１２ｃを前後より挟み込む、延出片部２３ａを底部とした嵌合凹部２３ｃである。すなわち、この嵌合凹部２３ｃが上記の嵌合受部３２を構成し、前板部１２の下端の端縁部１２ｃが上記の嵌合部３１を構成する。
【００２３】
ラッチケース１０と前カバー２０とは、前板部１２の下端の端縁部１２ｃを前カバー２０の嵌合凹部２３ｃに嵌合し、かつラッチ頭部１３ａを前カバー２０のラッチ開口２１より突出させた状態で仮固定（仮合体）された状態となる。前カバー２０のラッチ開口２１より突出したラッチ頭部１３ａにより、中央部では前カバー２０と前板部１２とが位置合わせされるので、下端側において嵌合、位置合わせすることで、上方のビス孔１２ｂ、２２どうしはずれなく重合する。
【００２４】
嵌合部３１と嵌合受部３２との嵌合は、例えば図３に示すような手順で行えばよい。つまり、前カバー２０とラッチケース１０とを、ラッチケース１０が上方に位置するように、ラッチ頭部１３ａをラッチケース本体１１内に没入させた状態で重ね合わせ、前カバー２０を上方にスライドさせることで両部材を仮固定状態に結合させることができる。もちろん横方向からのスライドでも両部材を結合させることができる。
【００２５】
前カバー２０とラッチケース１０との合体をより強固にするためには、嵌合片２３の突出片部２３ｂの突出量を大きく（カバー本体２５に沿って長く形成）することが望ましい。そのように突出片部２３ｂが長いものであっても、前カバー２０とラッチケース１０との合体がスライド操作でできるため、合体がしにくくなるおそれはない。
【００２６】
このようにして合体させたラッチケースセットＡは、図４に示したように、そのままの状態でドア本体２に組み込むことができる。ドア本体２の戸先面には、前カバー２０と前板部１２の重合体が配される前側凹部３ａと、ラッチケース本体１１が収容される本体収容凹部３ｂとが連通した収容凹所３が形成されている。また、前側凹部３ａの下部には嵌合片２３の突出片部２３ｂを収容するための凹段部３ｃが形成されている。
【００２７】
合体させたラッチケースセットＡは、ドア本体２の戸先側より収容凹所３に装着すればよい。そして、重合したビス孔１２ｂ、２２にビス９を挿通してドア本体２にビス９止めすることで、ラッチケースセットＡを構成する２部材は相互に固定される。
【００２８】
前カバー２０と前板部１２との下部はドア本体２にビス９止めされないが、ラッチケース本体１１が、そこにハンドル６の連結軸６ａを通すことで固定されるため、ラッチケース本体１１に固着された前板部１２も固定される。そして前板部１２が固定されれば、その下端の端縁部１２ｃを嵌合凹部２３ｃに挟み込んだ状態にある前カバー２０も固定される。
【００２９】
このような構成であるため、本ラッチケースセットＡによれば、ラッチケースセットＡのドア本体２へのビス９止めは１箇所だけでよい。このように、ビス孔２２、１２ｂが１箇所だけに設けてあれば、前カバー２０と前板部１２とのビス孔２２、１２ｂの位置合わせが簡単にでき、しかも嵌合部３１と嵌合受部３２との嵌合により２部材を仮固定することができる。そして、位置合わせされ合体されたラッチケースセットＡは、ドア本体２へ簡単に固定することができ、その結果、ドア１の生成作業を効率的に行うことができる。なお、前カバー２０の下部においてもビス９止めする構成としてもよい。また、前カバー２０と前板部１２とは、上部側で嵌合、下部側でビス９止めする構成であってもよい。
【００３０】
本実施形態では、前カバー２０の下端に嵌合凹部２３ｃが形成され、前板部１２の下端の端縁部１２ｃを嵌合凹部２３ｃに挟み込むようにしてあるが、前板部１２に四角孔または切り欠きを形成し、その縁部を前カバー２０の裏面に形成した嵌合片２３の嵌合凹部２３ｃで挟み込む構成としてもよい。また、前カバー２０の幅方向の端部に嵌合凹部２３ｃを設けた構成としてもよい。
【００３１】
以上の実施形態では、前カバー２０と前板部１２とは、下部において嵌合凹部２３ｃによる前板部１２の挟み込みにより両部材が仮固定できるように構成されているが、これに代えて、表裏間の戸幅方向の嵌合により仮固定する構成としてもよい。つまり、前カバー２０と前板部１２との間の重合面の一方に突起（嵌合部３１）を設け、他方に突起と嵌合する凹部（嵌合受部３２）を設け、それらの嵌合で前カバー２０と前板部１２とが結合する構成としてもよい。なおこの場合、突起の凹部への圧入により両者が嵌合する構成とすることが、ドア本体２への組み付け後に容易に分離し得ないようにするためには望ましい。
【００３２】
ついで、ラッチケースセットＡが組み付けられてなるドア１について説明する。ドア１は、図４に示すように、ドア本体２にラッチケースセットＡが取り付けられ、さらにハンドル６、施解錠部材７が取り付けられて形成される。
【００３３】
ハンドル６は、ドア本体２の戸先側端部の戸厚方向両側に設けられ、ラッチ部材１３のラッチ頭部１３ａを没入させる際に操作される。一方のハンドル６の連結軸６ａは、四角柱状とされ、他方のハンドル６の嵌合凹所６ｂは、連結軸６ａに対応させて戸厚方向に見て略方形状とされた四角穴状とされている。これらハンドル６は、ドア本体２のハンドル取付開口４を介してラッチケース１０の軸挿通孔１１ｃに挿通され、他方のハンドル取付開口（不図示）を介して他方のハンドル６の軸嵌合凹所６ｂに連結軸６ａが嵌め入れられて組み付けられる構成とされている。
【００３４】
ドア本体２には、戸厚方向両側の施解錠部材７（図４では、一方は不図示）が取り付けられる施解錠部材取付開口５（図４では、一方は不図示）が本体収容凹部３ｂに連通するように、かつ戸厚方向両面において開口するように設けられている。
【００３５】
なお、ドア本体２に対するラッチケースセットＡのビス９による固定は、ラッチケースセットＡを収容凹所３に装着し、ハンドル６および施解錠部材７を取り付けたのちに行うことが望ましい。
【符号の説明】
【００３６】
１          ドア
２          ドア本体
９          ビス
Ａ          ラッチケースセット
１０        ラッチケース
１２ｂ      ビス孔
１２ｃ      （下端の）端縁部
１３        ラッチ部材
１３ａ      ラッチ頭部
２０        前カバー
２２        カバー側ビス孔
２３        嵌合片
２３ａ      延出片部
２３ｂ      突出片部
２３ｃ      嵌合凹部
２５        カバー本体
３１        嵌合部
３２        嵌合受部
【図１】
2020002665.tif 000003
【図２】
2020002665.tif 000004
【図３】
2020002665.tif 000005
【図４】
2020002665.tif 000006